(57)【要約】      （修正有）【課題】強風時においても変形が少なく、空気を抜いた後において畳み易い空気テントを提供する。【解決手段】外面及び内面がドーム型であり、下部に出入口２を設けた空気テントであり、壁部１は、外面を形成する外膜及び内面を形成する内膜を有し、さらに該外膜及び該内膜に接続され、該外膜及び内膜の間の空間を縦方向に仕切る、通気性を有する複数の膜状スペーサーが底部から頂部にかけて上下方向に設けられ、頂部における外膜と内膜の間隔より、底部における外膜と内膜の間隔が大きい空気テント。【選択図】図１
0003223904.tif 000002
【実用新案登録請求の範囲】
【請求項１】
外面及び内面がドーム型であり、下部に出入口を設けた空気テントであり、
壁部は、外面を形成する外膜及び内面を形成する内膜を有し、さらに該外膜及び該内膜に接続され、該外膜及び内膜の間の空間を縦方向に仕切る、通気性を有する複数の膜状スペーサーが底部から頂部にかけて上下方向に設けられ、
頂部における外膜と内膜の間隔よりも、底部における外膜と内膜の間隔が大きい空気テント。
【請求項２】
頂部には、外膜と内膜の間を貫通する管状物により形成された空気穴を有する請求項１に記載の空気テント。
【請求項３】
シート状物からなり、底部の下面と一体化してなる床部を有する請求項１又は２に記載の空気テント。
【請求項４】
底部には、水及び／又は砂を収納した容器及び／又は袋を収納する収納部を有する請求項１〜３のいずれかに記載の空気テント。
【請求項５】
上面からみた形状が４角形、６角形、８角形、円形又は楕円形である請求項１〜４のいずれかに記載の空気テント。
【考案の詳細な説明】
【技術分野】
【０００１】
本考案は、空気テントに関する。
【背景技術】
【０００２】
特許文献１には、出入り口を有し気体を充填した袋状の屋根部と浮き袋状床部に囲われた部屋を有するエアハウスが記載されている。このエアハウスは、袋状のものにエアを入れることによりドーム型のハウスを得るものである。エアハウスの壁内は内部を仕切られた構造ではない。さらにその図１によれば、エアハウスの頂部における外面を構成するシートと、内面を構成するシートとの間隔が大きく、床部に近づくにつれて間隔が小さくなる。
特許文献２には、球形体ユニットや半円形体ユニット等からなるエアテントが記載されている。このユニットは複数の曲面状の中空体の両側面を、ストリンガ付の止水スライドファスナーで接続してなるものである。加えて、球形体ユニットや半円形体ユニットは円弧形状のチューブ状のものがその側面で接続されてなるものである。そして、その図２にて確認できるように、特許文献２に記載の球形体ユニットを構成する各ユニットは、球形体ユニットの頂部と底部ではユニットの壁の厚さが同じように形成されている。
【先行技術文献】
【特許文献】
【０００３】
【特許文献１】実用新案登録第３１３０７７９号公報
【特許文献２】特開２００３−１８４３４９号公報
【考案の概要】
【考案が解決しようとする課題】
【０００４】
特許文献１に記載のエアハウスは、ドームを形成する壁部内に仕切りがなく、かつエアハウスの頂部における外面を構成するシートと、内面を構成するシートとの間隔が大きく、床部に近づくにつれて間隔が小さくなるので、安定性に欠けている。そのため、風が吹く等により力がかかるときに大きく変形し易い。
特許文献２に記載のエアテントは、複数のユニットを接続して使用することを前提に構成されている。そのため、球形体ユニットは正確には上面からみて円形ではなく半円形である。球形のドーム形状のテントを設営する場合には、半球状ユニットを２つ要するので、送風装置も２つ以上必要とし、かつ設営や撤収が煩雑である。さらに球形体ユニットの頂部と底部ではユニットの壁の厚さが同じように形成されているので、風が吹くなどにより力がかかるときにおいて変形し易くなっている。
本考案は上記の問題を解決するものであり、強風時においても変形が少なく、空気を抜いた後において畳み易い空気テントを得ることを課題とする。
【課題を解決するための手段】
【０００５】
本考案は下記の構成を有するものである。
１．外面及び内面がドーム型であり、下部に出入口を設けた空気テントであり、
壁部は、外面を形成する外膜及び内面を形成する内膜を有し、さらに該外膜及び該内膜に接続され、該外膜及び内膜の間の空間を縦方向に仕切る、通気性を有する複数の膜状スペーサーが底部から頂部にかけて上下方向に設けられ、
頂部における外膜と内膜の間隔よりも、底部における外膜と内膜の間隔が大きい空気テント。
２．頂部には、外膜と内膜の間を貫通する管状物により形成された穴を有する１に記載の空気テント。
３．シート状物からなり、底部の下面と一体化してなる床部を有する１又は２に記載の空気テント。
４．底部には、水及び／又は砂を収納した容器及び／又は袋を収納する収納部を有する１〜３のいずれかに記載の空気テント。
５．上面からみた形状が４角形、６角形、８角形、円形又は楕円形である１〜４のいずれかに記載の空気テント。
【考案の効果】
【０００６】
本考案によれば、空気テントの１個所のみからの空気の注入により全体を膨らませることができる。頂部における外膜と内膜の間隔より、底部における外膜と内膜の間隔が大きいので、強風下等の横方向から外力がかかったときでも、空気テントが大きく変形することがなく、移動することもない。また空気を抜いて畳むときには、内膜と外膜の間に設けられた膜状スペーサーが外膜及び内膜に固定された状態で壁部がしぼむ。よって、しぼんだ後は外膜と内膜、及び膜状スペーサーが一体となってあたかも１枚のシートのようになり、さらに壁自体には角等がないので、床部と一体化していても、極めて簡単に空気テントを畳むことができる。
また壁部の最下部には、水及び／又は砂を収納することができるので、この水や砂が重石となって、風等に対向して固定することもできる。
【図面の簡単な説明】
【０００７】
【図１】本考案の空気テントの側面図
【図２】本考案の空気テントの上面図
【図３】本考案の空気テントの横断面図
【図４】図３のＢ−Ｂ線に沿った断面図
【図５】内部に送風する前の空気テントの図
【図６】内部に少し空気を入れたときの空気テントの図
【考案を実施するための形態】
【０００８】
（空気テントの全体構造）
本考案の空気テントは、４角形、６角形、８角形、円形又は楕円形の床の形状を有し、この形状の床から壁部が立ち上がるように形成される。ドーム型であるので、床から立ち上がる壁部がなだらかに空気テントの頂部に湾曲するので、明確に天井と壁部が分かれない。
【実施例】
【０００９】
実施例を図に基づき説明する。
図１は、上面からみた形状が円形の本考案の空気テントの側面図、図２は上面図、図３は図１中のＡ−Ａ線で示した面での切断面の図である。本考案の空気テントの室内の広さは人が入ることができる任意の広さでよい。例えば３〜１５人程度が余裕を持って入ることができる広さであれば良いが、この広さに限定されるものではない。
図１に示すように、本考案の空気テントは床から立ち上がる壁部１がなだらかに空気テントの頂部に湾曲し、床から立ち上がった壁部１はそのまま頂部まで伸びているので、壁と天井の境が不明確なドーム型である。
壁部１には出入口２が形成されている。本発明の空気テントには１〜４個程度の出入口を設けることが好ましい。但し、空気テントの大きさや用途等を考慮して設けることとする。出入口に任意に扉を付けることができる。
テントの外面は複数のシートや布が縫製等されて形成される。その縫製等の手段により構成する外膜には縫い目３がある。本考案の空気テントに形成された複数の縫い目３は、空気テントの底部から頂部にかけて、床面に対して略垂直に伸びる。
縫い目３は、外膜と内膜に縫製等により膜状スペーサーが固定される個所である。図１に示すように空気テントにはこのような縫い目３が複数形成されている。
【００１０】
さらに空気テントの壁部１の下部に１個所以上の収納部４を設けてもよい。各収納部４には、水及び／又は砂を収納した容器及び／又は袋等を重石として、さらに重石代わりの装置や物品等を収納することができる。収納部４を有する場合には、空気テント内に送風した後に、その収納部蓋を開閉可能とし、収納部４内面は壁部内面で送風されて空気が充填される空間とは連通しても良く、しなくても良い。いずれの場合でも収納部４は蓋を有してもよいが、連通する場合には蓋を閉じたときに十分な気密性を有する。
これらの重石等を収納することにより、空気テント内に空気が供給されているときや、空気テントの使用時に横風が吹いたときにおいても、空気テントが不用意に飛んだり、移動したりすることを防止できる。
【００１１】
空気テントの壁部の任意の位置に採光用の窓Ｌを設けることができる。この窓Ｌは対応する外膜と内膜の場所がそれぞれ透明部材で形成されることにより設けられる。
また本考案の空気テントには、少なくとも１つの密閉して蓋をすることが可能な図示しない空気穴を有する。そして、その空気穴にブロワー等の送風装置Ｂを管Ｐを介して接続して空気テント内全体に送風する。送風装置Ｂから空気テントの外膜と内膜との間に空気を供給して空気テントを膨らませることになる。本考案の空気テントの外膜と内膜との間の空間がある程度の気密性をもって形成されるときには、十分に空気を充填したのち送風を停止しても良い。なお送風を停止すると充填された空気が多く抜ける場合には、空気テントの使用期間中に、任意の頻度、また連続して送風装置を運転する。
なお図１では空気テントの外に送風装置Ｂを設置したが、外膜と内膜の間で空気を充填する空間内に送風装置を設置し、外部から空気を導入するようにしても良い。
【００１２】
図２は空気テントの上面図であり、その中心部で空気テントの最上部付近に空気穴５を設けることができる。空気穴５は空気テント内部にこもった空気の排出及び採光の機能を有する。空気穴５は通気性がない素材からなる管の形状の部材からなる。図２に示す空気テントは円形であるが、これに限らず、４角形、６角形、８角形、円形又は楕円形であっても良く、不定形であってもよい。また空気穴５を複数設けることもできる。
【００１３】
図３は、図１中のＡ−Ａ線での切断面である。
図３に示すように、外膜６と内膜７の間に、糸により縫うこと等によって互いに接続された膜状スペーサー８が設けられている。この膜状スペーサー８は空気テントの底部から頂部までの全高にわたり、外膜６と内膜７に接続される。
そのため、その縫い目から内部の空気が漏れるようにすることもできる。このとき送風を停止した瞬間から内部の空気が漏れることにより空気テントが萎む可能性がある。
外膜６及び内膜７は共に通気性がない周知の柔軟な材質のシート状物からなる。各膜状スペーサー８は網状物等の通気性を有する素材からなり、空気テント内において、各膜状スペーサー８はほぼ垂直方向に沿って位置し、膜状スペーサー８や底面、外膜６及び内膜７で囲われた部分は、それぞれ連通した細長い略扇形等のユニットを形成する。膜状スペーサー８は空気テント頂部において、空気穴５を形成する部材に接続されるが、空気穴５が無い場合には、複数の膜状スペーサー８を一点にて固定しても良い。空気テントの底部において、膜状スペーサー８は横方向に４０ｃｍ〜８０ｃｍの間隔で設けることができるが、この間隔に限定されない。
【００１４】
上記のように、通気性を有する膜状スペーサー８を採用して空気テントを形成させることにより、この送風時及び送風停止後において、空気テント全体を均等に、むらなく膨らませたり、萎ませたりさせることができる。
なお、上記縫い目の全てを透気性が無い粘着テープ等で被覆して、送風停止後においても空気テントの形状を維持することもできる。このときには空気テントを畳むときに内部の空気を吸引する必要がある。
【００１５】
図４は、図３中のＢ−Ｂ線での切断面である。
図４において、頂部における外膜と内膜の間隔の最小値ｄ１より、底部における外膜と内膜の間隔の最大値ｄ２が大であることがわかる。この外膜と内膜の間隔は、頂部から底部にかけて連続的、又は不連続的に大きくする。この結果として空気テントの底部の壁がより厚くなるために、空気テント全体の形状を適切に保つことができる。また風が吹くなどして、外部から横方向に力が加わった場合においても、空気テント全体の変形をより小さくすることができる。
そのため、ｄ１の値は、好ましくは５ｃｍ以上、より好ましくは１０ｃｍ以上、更に好ましくは１５ｃｍ以上、最も好ましくは２０ｃｍ以上であり、５０ｃｍ以下が好ましく、４０ｃｍ以下がより好ましい。ｄ２の値は、好ましくは１００ｃｍ以下、より好ましくは８０ｃｍ以下、更に好ましくは６０ｃｍ以下であり、４０ｃｍ以上が好ましい。
なお、仮に外膜６や内膜７が剛直であると、金属製支柱により屋根部のみが形成されたテントと同様に、風にあおられて移動したり飛んだりすることになる。
また、空気テントの外観は半球状を基本としているので、横風を受けて壁部１に圧力がかかったとしても、半球状の外膜６表面にそって風が通るために、その上方及び側方に向けて風が流れるようにできる。その結果として空気テントへの横からの圧力が低減され、必要以上に横風を受けて変形することがない。  
【００１６】
空気テントの室内には、例えばスピーカーＳを１つ以上設けることができる。スピーカーを設置する高さは、起立のとき、椅子等に掛けているとき、寝ているとき等の、室内の人の姿勢による耳の位置に合わせても良い。特に内膜７で形成された室内の形状が、およそ半球状であること、さらに内膜７の素材を選択することにより、より適切な音響効果を得ることができる。また動画像を内膜７に投影したり、動画像を表示するスクリーンやディスプレイ等を室内に設置したり、内膜７に固定したりしても良い。その他の必要な、任意の設備、家具等も設置できる。
また空気テントの室内には空気テント本体と接続されて一体である床部９を設けてもよい。このような床部としては、外膜又は内膜と同一材料からなるシート、外膜又は内膜とは異なる材料からなるシート等任意の材料を選択し得る。床部は１枚のシート状物でもよく、上層及び下層を有し、その間に空気が充填される袋状物でも良い。またこれらのシート等との接続手段としては、空気テント本体との縫い合わせ、接着、ボタン等による一時的な固定等の任意の手段を採用できる。
また空気テント本体と接続されて一体である床部ではなく、空気テントとは接続されない床部を設けてもよい。この場合には、外膜又は内膜と同一材料からなるシート、外膜又は内膜とは異なる材料からなるシート等、簀の子、エアマット等の床材として知られた手段を採用できる。
空気穴５は、空気テントの頂部において外膜６と内膜７を縫い合わせる等により形成しても良い。また、それにより形成した空気穴５内に管状物１０を挿入・固定して管状物１０を空気穴としてもよい。さらに管状物１０の外周に外膜６と内膜７をそれぞれ縫い合わせる等して管状物と一体化させることもできる。
【００１７】
本考案の空気テントを設置する工程を以下に示す。
図５は、内部に送風する前の空気テントであり、空気を入れる前の浮き輪のように、基本的には内部に積極的に空気を入れていない。ただし、図示する関係上、若干膨らんだ状態で記載している。
外膜６と内膜７及び膜状スペーサー８等を有する空気テントに対して、図示しない空気穴に図示しない送風装置をホース等により接続して、空気テント内への空気の送風を開始する。
【００１８】
少し空気を入れた状態を図６に示す。
図６からわかるように、壁部を形成する部分がほぼ立ち上がっている。そして膜状スペーサー８を介して、空気テントの全体に均等に送風されている。
【００１９】
続けて送風を行うことにより図１に示すように起立した空気テントとすることができる。
そして空気テントの使用後には、内部の空気を抜いて、折り畳むことができる。送風装置の電源を切り、送風を停止することにより、通常は空気テント全体の特に縫い目から空気が漏れるので、空気テント全体が均等に萎むことになる。なお、収納部４内に重石等を収納している際には送風装置の電源を切る前に重石等を取り出すことが、畳むときの作業性の点において望ましい。
【００２０】
空気が抜けることによる経過は、図５、図６及び図１までの進展状況を逆にしたものとなる。空気が十分に抜けたあとには、ほぼ図５で示される状態となる。その後略円形となった空気テントを任意の畳み方で折り畳むことにより、極めて容易にコンパクトにさせることができる。
例えば図５及び６からわかるように、空気が抜けるときの空気テントの変形は、全体形状や膜状スペーサー８のそれぞれの位置関係を保ち、かつ外膜と内膜が有する曲面を維持するように起きる。そのため、壁部は外膜と内膜の曲面によって内側にたおれるように折れ曲がるので、空気が抜け終わったあとの空気テントの形状は、常に図５に示すものとなる。その後、作業者は空気テント全体を一緒に、内部の空気を抜きながら容易に折り畳むことができる。
【００２１】
また本考案の空気テントは、その複数を組み合わせて使用することができる。例えば図１に示す空気テントの出入口同士をつなぎ合わせて一体化させることにより、それぞれの空気テントをあたかも連続した一つ一つの部屋のようにできる。またその他の出入口開口部からは人が出入り可能とすることもできる。
このようにして複数の空気テントを接続したときには、例えば接続管により空気テントの送風装置を接続するための空気穴同士を接続することもできる。この結果例えば２つや３つの空気テントを接続した状態で、どれか一つの空気テントの空気穴に１つの送風装置Ｂを接続して、全ての空気テントを同時に起立させることが可能となる。
【００２２】
上記のように複数の空気テントの出入口同士を接続させる際には、対向する２つの空気テントの出入口の間をシート状物により覆っても良い。このときには、該シート状物を２つの空気テントの出入口の周囲に固定してもよく、固定しなくても良い。
【符号の説明】
【００２３】
１・・・壁部
２・・・出入口
３・・・縫い目
４・・・収納部
５・・・空気穴
６・・・外膜
７・・・内膜
８・・・膜状スペーサー
９・・・床部
１０・・・管状物
Ｓ・・・スピーカー
Ｐ・・・管
Ｂ・・・送風装置
【図１】
0003223904.tif 000003
【図２】
0003223904.tif 000004
【図３】
0003223904.tif 000005
【図４】
0003223904.tif 000006
【図５】
0003223904.tif 000007
【図６】
0003223904.tif 000008